(57)【要約】【課題】より簡易な構成で効率的にバラスト水の殺菌処理を行うことが可能なバラスト水処理装置を提供する。【解決手段】バラスト水処理装置１は、配管２と、殺菌剤３と、を備えている。配管２は、バラストタンク６０に繋がれており、バラストタンク６０にバラスト水を導くためのものである。殺菌剤３は、配管２に配置されており、イソシアヌル酸塩化物からなる固体状の殺菌剤である。上記バラスト水処理装置１によれば、バラスト水が配管２を経由してバラストタンク６０に導かれる過程において、配管２に配置された殺菌剤３が当該バラスト水に溶け出すことにより殺菌処理される。したがって、上記バラスト水処理装置１によれば、簡易な装置構成で効率的にバラスト水の殺菌処理を行うことができる。【選択図】図１
2016168527.tif 000002
【特許請求の範囲】
【請求項１】
バラストタンクに繋がれ、前記バラストタンクにバラスト水を導く配管と、
前記配管に配置され、イソシアヌル酸塩化物からなる固体状の殺菌剤と、を備えた、バラスト水処理装置。
【請求項２】
前記配管において前記殺菌剤の配置部分から流出したバラスト水の塩素濃度を測定する濃度測定部と、
前記濃度測定部による測定結果に基づいて、前記配管において前記殺菌剤の配置部分へ流入するバラスト水の流量を調整する流量調整手段と、をさらに備えた、請求項１に記載のバラスト水処理装置。
【請求項３】
前記殺菌剤をバイパスするように前記配管に接続されるバイパス配管をさらに備え、
前記濃度測定部は、前記配管において前記バイパス配管が合流する合流部分よりも下流側に配置され、
前記流量調整手段は、前記濃度測定部による測定結果に基づいて、前記配管から前記バイパス配管側へ分流するバラスト水の流量を調整する、請求項２に記載のバラスト水処理装置。
【請求項４】
前記流量調整手段は、
前記配管から前記バイパス配管側へ分流するバラスト水の流量を調整する流量調整部と、
前記濃度測定部による測定結果に基づいて前記流量調整部を制御する流量制御部と、を有する、請求項３に記載のバラスト水処理装置。
【請求項５】
前記殺菌剤が充填され、前記配管に配置された薬品容器をさらに備えた、請求項１〜４のいずれか１項に記載のバラスト水処理装置。
【請求項６】
前記薬品容器に充填された前記殺菌剤の残量を検知する検知部をさらに備えた、請求項５に記載のバラスト水処理装置。
【請求項７】
前記殺菌剤が充填され、前記配管に配置された薬品容器をさらに備え、
前記薬品容器は、
前記殺菌剤が充填される第１の空間が形成され、前記配管側からバラスト水が流入する第１の容器部分と、
前記第１の空間と連通し、前記殺菌剤が充填される第２の空間が形成され、前記第１の容器部分から延設された第２の容器部分と、を有し、
前記第１及び第２の容器部分の各々に前記殺菌剤が充填されている、請求項１〜４のいずれか１項に記載のバラスト水処理装置。
【請求項８】
前記イソシアヌル酸塩化物は、トリクロロイソシアヌル酸である、請求項１〜７のいずれか１項に記載のバラスト水処理装置。
【発明の詳細な説明】
【技術分野】
【０００１】
本発明は、バラスト水処理装置に関する。
【背景技術】
【０００２】
従来、貨物船などの船舶を積荷が搭載されていない状態で安定化させるために、船舶内に配置されたバラストタンクに海水をバラスト水として充填する対策が知られている。ここで、バラスト水として利用される海水には、微生物や菌類などが多数存在している。そのため、外国間を行き来する船舶からバラスト水を排出する際には、微生物や菌類による海洋の生態系への影響を防ぐためにバラスト水の殺菌処理を行う必要がある。
【０００３】
バラスト水の殺菌方法としては、化学薬品を投入する方法や紫外線を照射する方法などがある。下記特許文献１には、バラストタンクに繋がる主配管の途中において薬剤タンクに繋がる別の配管が接続されており、当該薬剤タンクから殺菌用の薬液を主配管内のバラスト水に混合させることにより殺菌処理を行う方法が開示されている。
【先行技術文献】
【特許文献】
【０００４】
【特許文献１】国際公開第２０１０／０９３０２５号
【発明の概要】
【発明が解決しようとする課題】
【０００５】
上記特許文献１では、薬剤タンクにおいて殺菌用の薬液を準備する段階と、当該薬液をバラスト水に混合する段階とが必要になるため、バラスト水の殺菌処理に手間を要するという問題がある。
【０００６】
本発明は、上記課題に鑑みてなされたものであり、その目的は、より簡易な構成で効率的にバラスト水の殺菌処理を行うことが可能なバラスト水処理装置を提供することである。
【課題を解決するための手段】
【０００７】
本発明の一局面に係るバラスト水処理装置は、バラストタンクに繋がれ、前記バラストタンクにバラスト水を導く配管と、前記配管に配置され、イソシアヌル酸塩化物からなる固体状の殺菌剤と、を備える。
【０００８】
上記バラスト水処理装置では、バラスト水が配管を経由してバラストタンクに導かれる過程において、当該配管に配置されたイソシアヌル酸塩化物からなる殺菌剤が当該バラスト水に溶け出す。これにより、殺菌性を有する次亜塩素酸が発生し、バラスト水が殺菌処理される。したがって、上記バラスト水処理装置によれば、バラストタンクに繋がる主配管の途中において薬剤タンクに繋がる別の配管が接続され、当該薬剤タンクから殺菌用の薬液を主配管内のバラスト水に混合させる装置と比べて、より簡易な装置構成で効率的にバラスト水の殺菌処理を行うことができる。
【０００９】
上記バラスト水処理装置は、前記配管において前記殺菌剤の配置部分から流出したバラスト水の塩素濃度を測定する濃度測定部と、前記濃度測定部による測定結果に基づいて、前記配管において前記殺菌剤の配置部分へ流入するバラスト水の流量を調整する流量調整手段と、をさらに備えていてもよい。
【００１０】
上記構成によれば、殺菌剤の配置部分から流出したバラスト水の塩素濃度を測定し、その測定結果を当該配置部分へ流入するバラスト水の流量にフィードバックすることにより、適正な塩素濃度に調整することができる。
【００１１】
上記バラスト水処理装置は、前記殺菌剤をバイパスするように前記配管に接続されるバイパス配管をさらに備えていてもよい。前記濃度測定部は、前記配管において前記バイパス配管が合流する合流部分よりも下流側に配置されていてもよい。前記流量調整手段は、前記濃度測定部による測定結果に基づいて、前記配管から前記バイパス配管側へ分流するバラスト水の流量を調整してもよい。
【００１２】
上記構成によれば、バラスト水の塩素濃度の測定結果に基づいて配管側からバイパス配管側へ分流させるバラスト水の流量を調整することで、殺菌剤側へ流入するバラスト水の流量を調整することができる。その結果、適正な塩素濃度に調整することができる。またバイパス配管側に分流したバラスト水を再び合流させることにより、バラストタンクへ供給されるバラスト水の流量を維持することができる。その結果、バラストタンクの漲水が長時間化することを抑制することができる。
【００１３】
上記バラスト水処理装置において、前記流量調整手段は、前記配管から前記バイパス配管側へ分流するバラスト水の流量を調整する流量調整部と、前記濃度測定部による測定結果に基づいて前記流量調整部を制御する流量制御部と、を有していてもよい。
【００１４】
上記構成によれば、流量制御部を用いてバイパス配管側へのバラスト水の分流量を調整することにより、塩素濃度の調整をより容易に行うことができる。
【００１５】
上記バラスト水処理装置は、前記殺菌剤が充填され、前記配管に配置された薬品容器をさらに備えていてもよい。
【００１６】
上記構成によれば、殺菌剤を配管内に直接配置する場合に比べて、殺菌剤を安定に保持することができる。
【００１７】
上記バラスト水処理装置は、前記薬品容器に充填された前記殺菌剤の残量を検知する検知部をさらに備えていてもよい。
【００１８】
上記構成によれば、検知部によって薬品容器内の殺菌剤の残量を確認し、当該残量が少なくなったときに殺菌剤の補充をスムーズに行うことができる。
【００１９】
上記バラスト水処理装置は、前記殺菌剤が充填され、前記配管に配置された薬品容器をさらに備えていてもよい。前記薬品容器は、前記殺菌剤が充填される第１の空間が形成され、前記配管側からバラスト水が流入する第１の容器部分と、前記第１の空間と連通し、前記殺菌剤が充填される第２の空間が形成され、前記第１の容器部分から延設された第２の容器部分と、を有していてもよい。前記第１及び第２の容器部分の各々に前記殺菌剤が充填されていてもよい。
【００２０】
上記構成によれば、第１の容器部分に充填された殺菌剤がバラスト水に溶け出して消費されたときに、第２の容器部分に充填された殺菌剤が第１の容器部分へ落下することにより、殺菌剤の補充が容易に行われる。
【００２１】
上記バラスト水処理装置において、前記イソシアヌル酸塩化物は、トリクロロイソシアヌル酸であってもよい。
【００２２】
トリクロロイソシアヌル酸は水への溶解性が比較的小さいため、長期間に渡り殺菌効果を維持することができる。また高温下において安定に保持することができる。また次亜塩素酸カルシウムなどと異なり、バラスト水に溶解させたときの沈殿物の発生を抑制することもできる。したがって、トリクロロイソシアヌル酸は、配管に配置される薬剤として好適に用いることができる。
【発明の効果】
【００２３】
本発明によれば、より簡易な構成で効率的にバラスト水の殺菌処理を行うことが可能なバラスト水処理装置を提供することができる。
【図面の簡単な説明】
【００２４】
【図１】本発明の実施形態１に係るバラスト水処理装置の構成を示す概略図である。
【図２】上記バラスト水処理装置における薬品容器の構成を示す概略図である。
【図３】上記バラスト水処理装置の構成を示すブロック図である。
【図４】上記バラスト水処理装置における塩素濃度の調整方法を説明するためのフローチャートである。
【図５】本発明の実施形態２に係るバラスト水処理装置における薬品容器の構成を示す概略図である。
【図６】上記薬品容器において殺菌剤が補充される様子を示す概略図である。
【発明を実施するための形態】
【００２５】
以下、図面に基づいて、本発明の実施形態につき詳細に説明する。
【００２６】
（実施形態１）
＜バラスト水処理装置の構成＞
まず、本発明の一実施形態である実施形態１に係るバラスト水処理装置１の構成について、図１を参照して説明する。
【００２７】
バラスト水処理装置１は、船内に配置され、船内に汲み上げられたバラスト水を殺菌処理するとともにバラストタンク６０へ導くための装置である。バラスト水処理装置１は、配管２と、バラストポンプ１０と、フィルター２０と、殺菌剤３と、ミキサー５０と、を主に備えている。
【００２８】
配管２は、バラストタンク６０に繋がれており、船内に汲み上げられたバラスト水をバラストタンク６０へ導くための供給流路を内部に構成している。配管２は、バラスト水が流入する一方の配管口２Ａと、バラストタンク６０に繋がれる他方の配管口２Ｂと、を有している。バラスト水は、一方の配管口２Ａから配管２内に流入し、他方の配管口２Ｂに向かって配管２内を流れることによりバラストタンク６０へ導かれる。そして、バラストタンク６０において船体を安定化させるために貯留される。
【００２９】
バラストポンプ１０は、配管２において一方の配管口２Ａ側に配置されており、配管２内にバラスト水を流入させる。フィルター２０は、配管２においてバラストポンプ１０よりもバラスト水の流れ方向Ｄの下流側（バラストタンク６０側）に配置されている。フィルター２０は、ろ過によってバラスト水に含まれる異物などを除去する。
【００３０】
殺菌剤３は、常温固体の薬剤であって、配管２内を流れるバラスト水中に溶け出すことにより、当該バラスト水に存在している微生物や細菌類等を殺滅させる。殺菌剤３は、薬品容器４０内に充填されており、当該薬品容器４０は配管２においてフィルター２０よりも下流側に配置されている。なお、図１では、薬品容器４０の幅が配管２の幅よりも大きく示されているが、薬品容器４０の幅は配管２の幅と同じでもよいし、配管２の幅より大きくてもよい。
【００３１】
殺菌剤３は、イソシアヌル酸塩化物からなる。ここで、「イソシアヌル酸塩化物」とは、イソシアヌル酸の窒素原子に結合した水素原子が塩素原子に置換された構造を有する化合物であって、３つの塩素原子により水素原子が置換されたトリクロロイソシアヌル酸（下記構造式（１））及び２つの塩素原子により水素原子が置換されたジクロロイソシアヌル酸ナトリウム（下記構造式（２））を含む。これらのイソシアヌル酸塩化物は、バラスト水中に溶け出すことにより殺菌性を有する次亜塩素酸（ＨＯＣｌ）を発生し、これにより配管２内を流れるバラスト水を殺菌処理する。
【００３２】
【化１】
2016168527.tif 000003
【００３３】
【化２】
2016168527.tif 000004
殺菌剤３は、顆粒状又は錠剤状等の形態を有していてもよいが、特に限定されない。例えば、殺菌剤３は、直径が１〜１００ｍｍである顆粒状又は錠剤状の形態を有していてもよい。
【００３４】
ここで、殺菌剤３が充填される薬品容器４０の構成について、図２を参照して詳細に説明する。薬品容器４０は、容器本体４０Ａと、容器本体４０Ａ内に収容されるメッシュ状部材４０Ｂと、を備えている。メッシュ状部材４０Ｂには、複数の殺菌剤３が充填されている。メッシュ状部材４０Ｂは、殺菌剤３を内部に保持するとともにバラスト水が十分に流入可能な程度の目開きを有している。
【００３５】
配管２の一方の配管口２Ａ側（図２左側）から容器本体４０Ａ内に流入したバラスト水は、殺菌剤３が充填されたメッシュ状部材４０Ｂ内を通過し、その後バラストタンク６０側（図２右側）へ流出する。この過程において、殺菌剤３がバラスト水に溶け出すことにより次亜塩素酸が発生し、これによりバラスト水が殺菌処理される。
【００３６】
なお、本実施形態のように殺菌剤３がメッシュ状部材４０Ｂに充填される場合に限られず、メッシュ状部材４０Ｂの構成が省略され、容器本体４０Ａに殺菌剤３が直接充填されてもよい。また、本実施形態のように配管２に薬品容器４０が配置され、薬品容器４０に殺菌剤３が充填される場合に限られず、薬品容器４０の構成が省略され、配管２の内部に殺菌剤３が直接配置されてもよい。この場合には、殺菌剤３がバラスト水の流れによってバラストタンク６０側へ流れてしまうことを防止するため、殺菌剤３を堰き止めるためのメッシュ状の部材が配管２の内部に配置されてもよい。
【００３７】
図１に戻って、上記バラスト水処理装置１は、薬品容器４０に取り付けられ、当該薬品容器４０に充填された殺菌剤３の残量を検知する検知部４１をさらに備えている。検知部４１は、レベルセンサであって、薬品容器４０内における殺菌剤３の充填高さ（図２）を検出する。そして、バラスト水への溶出によって殺菌剤３が消費されることにより当該充填高さが下限値を下回ると、検知部４１からアラーム装置（図示しない）へその情報が入力される。そして、アラーム装置において殺菌剤３の残量が少ないことを表示することにより、作業者に殺菌剤３の補充を促すことができる。作業者は、殺菌剤が充填された予備のメッシュ状部材を準備しておき、これを使用済のメッシュ状部材４０Ｂと交換することにより、殺菌剤の補充をスムーズに行うことができる。なお、検知部４１は、薬品容器４０に充填された殺菌剤３の残量を検知可能なものであればよく、他の種類のセンサも同様に用いることができる。
【００３８】
ミキサー５０は、配管２において薬品容器４０よりも下流側に配置されている。ミキサー５０は、薬品容器４０において殺菌剤３が溶出した後のバラスト水を攪拌することにより、当該バラスト水における塩素濃度を均一化させる。
【００３９】
上記バラスト水処理装置１は、バイパス配管４をさらに備えている。バイパス配管４は、図１に示すように殺菌剤３が充填された薬品容器４０をバイパス（迂回）するように配管２に接続されている。より具体的には、バイパス配管４は、配管２において薬品容器４０よりも上流側でかつフィルター２０よりも下流側に位置する分岐部分２Ｃに一方の端部が接続され、かつ、薬品容器４０よりも下流側でかつミキサー５０よりも上流側に位置する合流部分２Ｄにおいて他方の端部が接続されている。
【００４０】
上記構成により、バラストタンク６０に向かって配管２内を流れるバラスト水の一部を、分岐部分２Ｃにおいてバイパス配管４側へ分流させることができ、これにより薬品容器４０側へ流入するバラスト水の流量を調整することができる。そして、合流部分２Ｄにおいて薬品容器４０を通過したバラスト水とバイパス配管４側へ分流したバラスト水とを合流させることにより、分流前のバラスト水の流量に戻すことができる。
【００４１】
上記バラスト水処理装置１は、濃度測定部４２をさらに備えている。濃度測定部４２は、配管２において薬品容器４０から流出し、殺菌剤３が溶出したバラスト水の塩素濃度を測定するためのセンサである。ここで、「塩素濃度（ｍｇ／Ｌ）」は、バラスト水の残留オキシダント（ＴＲＯ：Ｔｏｔａｌ  Ｒｅｓｉｄｕａｌ  Ｏｘｉｄａｎｔ）濃度として測定される。濃度測定部４２は、図１に示すようにミキサー５０よりも下流側でかつバラストタンク６０よりも上流側において配管２に取り付けられている。これにより、ミキサー５０によって均一化された後のバラスト水の塩素濃度を測定することができる。
【００４２】
上記バラスト水処理装置１は、流量調整手段７０をさらに備えている。流量調整手段７０は、濃度測定部４２によるバラスト水の塩素濃度の測定結果に基づいて、配管２からバイパス配管４側へ分流するバラスト水の流量を調整し、これにより薬品容器４０へ流入するバラスト水の流量を調整する。以下、流量調整手段７０の構成について詳細に説明する。
【００４３】
流量調整手段７０は、配管２からバイパス配管４側へ分流するバラスト水の流量を調整する流量調整部７１と、濃度測定部４２からバラスト水の塩素濃度の測定結果が入力され、これに基づいて流量調整部７１を制御する流量制御部７２と、を備えている。
【００４４】
流量調整部７１は、第１の流量調整弁７１Ａ及び第２の流量調整弁７１Ｂを含む。第１及び第２の流量調整弁７１Ａ，７１Ｂは、その開度調整によって配管内を流れるバラスト水の流量を調整する。第１の流量調整弁７１Ａは、配管２において分岐部分２Ｃよりも下流でかつ薬品容器４０よりも上流に配置されている。第２の流量調整弁７１Ｂは、バイパス配管４に配置されている。流量調整部７１は、本実施形態のように第１及び第２の流量調整弁７１Ａ，７１Ｂの両方を含む場合に限られず、いずれか一方のみを含んでいてもよい。
【００４５】
図３を参照して、流量制御部７２は、判定部７２Ａ、制御部７２Ｂ及び記憶部７２Ｃから主に構成されている。判定部７２Ａには、濃度測定部４２によるバラスト水の塩素濃度の測定結果が入力される。また記憶部７２Ｃには、バラスト水の塩素濃度の基準値のデータが格納されている。判定部７２Ａは、濃度測定部４２から入力された測定結果と記憶部７２Ｃに格納された基準値との比較を行い、その比較結果に基づいてバラスト水の流量を変更する必要があるか否かを判定する。より具体的には、塩素濃度の測定値が基準値の範囲を超える場合にはバイパス配管４側への分流量を増やす（薬品容器４０側への流入量を減らす）必要があると判定し、一方で測定値が基準値の範囲よりも低い場合にはバイパス配管４側への分流量を減らす（薬品容器４０側への流入量を増やす）必要があると判定する。
【００４６】
制御部７２Ｂは、判定部７２Ａによる上記判定結果が入力され、これに基づいて第１及び第２の流量調整弁７１Ａ，７１Ｂの動作を調整する。より具体的には、制御部７２Ｂは、判定部７２Ａによりバイパス配管４側への分流量を増やす必要があると判定された場合には、第２の流量調整弁７１Ｂの開度を大きくするとともに第１の流量調整弁７１Ａの開度を小さくする。一方で、判定部７２Ａによりバイパス配管４側への分流量を減らす必要があると判定された場合には、第１の流量調整弁７１Ａの開度を大きくするとともに第２の流量調整弁７１Ｂの開度を小さくする。このようにして、薬品容器４０の下流側におけるバラスト水の塩素濃度を測定し、その結果をフィードバックしてバイパス配管４側への分流量を調整することにより、バラスト水の塩素濃度が基準値の範囲を満たすように調整することができる。
【００４７】
なお、本実施形態のように第１及び第２の流量調整弁７１Ａ，７１Ｂの各々の開度を流量制御部７２を用いて自動調整する場合に限られず、流量制御部７２の構成が省略され、濃度測定部４２による測定結果に基づいて第１及び第２の流量調整弁７１Ａ，７１Ｂの各々の開度がユーザの手動により調整されてもよい。
【００４８】
＜バラスト水処理装置における塩素濃度の調整＞
次に、上記バラスト水処理装置１における塩素濃度の調整方法について、図４に示すフローチャートに沿って説明する。
【００４９】
まず、判定部７２Ａは、バラスト水の塩素濃度の測定周期であるか否かを判定する（Ｓ１）。測定周期であると判定されると（Ｓ１：ＹＥＳ）、判定部７２Ａは、薬品容器４０から流出したバラスト水の塩素濃度を濃度測定部４２に測定させる（Ｓ２）。そして、取得された測定データは、判定部７２Ａに入力される。
【００５０】
次に、判定部７２Ａは、入力された測定データと記憶部７２Ｃに格納された基準値データとの比較を行い、当該測定データが基準値の範囲内であるか否か（例えば、５〜１０ｍｇ／Ｌの範囲内であるか否か）を判定する（Ｓ３）。そして、基準値の範囲外であると判定されると（Ｓ３：ＮＯ）、その判定結果が制御部７２Ｂに入力される。そして、制御部７２Ｂは、塩素濃度が基準値の範囲内となるように第１及び第２の流量調整弁７１Ａ，７１Ｂの開度を調整する（Ｓ４）。
【００５１】
より具体的には、測定データが基準値の範囲よりも低く、塩素濃度を上げる必要がある場合には、バイパス配管４側への分流量を減らすために第１の流量調整弁７１Ａの開度を大きくするとともに第２の流量調整弁７１Ｂの開度を小さくする。一方、測定データが基準値の範囲を超えており、塩素濃度を下げる必要がある場合には、バイパス配管４側への分流量を増やすために第２の流量調整弁７１Ｂの開度を大きくするとともに第１の流量調整弁７１Ａの開度を小さくする。このようにして、バラスト水の塩素濃度が基準値の範囲内となるようにバイパス配管４側への分流量が調整される。また、塩素濃度の測定データが基準値の範囲内であると判定されると（Ｓ３：ＹＥＳ）、上述のような流量調整弁の開度調整は行われず、バイパス配管４側への分流量がそのまま維持される。
【００５２】
＜バラスト水処理装置による作用効果＞
次に、上記バラスト水処理装置１による作用効果について説明する。上記バラスト水処理装置１は、バラストタンク６０にバラスト水を導く配管２と、配管２に配置されたイソシアヌル酸塩化物からなる固体状の殺菌剤３と、を備えている。上記バラスト水処理装置１では、バラスト水が配管２を経由してバラストタンク６０に導かれる過程において、配管２に配置されたイソシアヌル酸塩化物からなる殺菌剤３が当該バラスト水中に溶け出す。これにより、殺菌性を有する次亜塩素酸が発生し、バラスト水を殺菌処理することができる。したがって、上記バラスト水処理装置１によれば、バラストタンクに繋がる主配管の途中において薬剤タンクに繋がる別の配管が接続され、当該薬剤タンクから殺菌用の薬液を主配管内のバラスト水に混合させる装置と比べて、より簡易な装置構成で効率的にバラスト水の殺菌処理を行うことができる。
【００５３】
上記バラスト水処理装置１は、薬品容器４０から流出したバラスト水の塩素濃度を測定する濃度測定部４２と、濃度測定部４２による測定結果に基づいて、薬品容器４０へ流入するバラスト水の流量を調整する流量調整手段７０と、を備えている。これにより、薬品容器４０から流出したバラスト水の塩素濃度を測定し、その測定結果を薬品容器４０へ流入するバラスト水の流量にフィードバックすることにより、適正な塩素濃度に調整することができる。その結果、殺菌効果を維持するとともに、塩素濃度が過剰になることに起因した配管２やバラストタンク６０の腐食を防止することができる。
【００５４】
上記バラスト水処理装置１は、薬品容器４０をバイパスするバイパス配管４を備えている。また濃度測定部４２は、配管２においてバイパス配管４が合流する合流部分２Ｄよりも下流側に配置されている。また流量調整手段７０は、配管２からバイパス配管４側へ分流するバラスト水の流量を調整する。
【００５５】
これにより、バラスト水の塩素濃度の測定結果に基づいて配管２側からバイパス配管４側へ分流させるバラスト水の流量を調整し、その結果薬品容器４０側へ流入するバラスト水の流量を調整することができる。その結果、適正な塩素濃度に調整することができる。またバイパス配管４側への分流量によって塩素濃度を調整し、バイパス配管４側に分流したバラスト水を合流部分２Ｄにおいて配管２を流れるバラスト水に合流させることにより、バラストタンク６０へ供給されるバラスト水の流量を維持することができる。その結果、バラストタンク６０の漲水が長時間化することを抑制することができる。
【００５６】
上記バラスト水処理装置１において、流量調整手段７０は、配管２からバイパス配管４側へ流れるバラスト水の流量を調整する流量調整部７１と、濃度測定部４２による測定結果に基づいて流量調整部７１を制御する流量制御部７２と、を備えている。このように、流量制御部７２を用いてバイパス配管４側へのバラスト水の分流量を調整することにより、塩素濃度の調整をより容易に行うことができる。
【００５７】
上記バラスト水処理装置１は、殺菌剤３が充填され、配管２に配置された薬品容器４０を備えている。これにより、殺菌剤３を配管２内に直接配置する場合に比べて、殺菌剤３を安定に保持することができる。
【００５８】
上記バラスト水処理装置１は、薬品容器４０に充填された殺菌剤３の残量を検知する検知部４１を備えている。これにより、検知部４１によって薬品容器４０内の殺菌剤３の残量を確認し、当該残量が少なくなったときに殺菌剤３の補充をスムーズに行うことができる。
【００５９】
（実施形態２）
次に、本発明の他の実施形態である実施形態２に係るバラスト水処理装置について説明する。実施形態２に係るバラスト水処理装置は、基本的には上記実施形態１に係るバラスト水処理装置１と同様の構成を備え、かつ同様の効果を奏する。しかし、実施形態２に係るバラスト水処理装置は、殺菌剤が充填される薬品容器の構成において、上記実施形態１とは異なっている。以下、当該薬品容器の構成について詳細に説明する。
【００６０】
図５を参照して、実施形態２における薬品容器４３は、実施形態１と同様に配管２に配置されており、容器本体４３Ａと、容器本体４３Ａ内に収容されるメッシュ状部材４３Ｂと、を備えている。また薬品容器４３は、第１の容器部分４５と、第１の容器部分４５から外側に延設された第２の容器部分４６と、を含む。
【００６１】
第１の容器部分４５は、配管２の一方の配管口２Ａ側（図５左側）からバラスト水が流入する部分である。第１の容器部分４５には、殺菌剤３が充填される第１の空間４５Ａが形成されている。
【００６２】
第２の容器部分４６は、配管２の一方の配管口２Ａ側からバラスト水が流入しないように第１の容器部分４５から延設されている。より具体的には、第２の容器部分４６は、第１の容器部分４５よりも重力方向上側に位置するように第１の容器部分４５から延設されている。第２の容器部分４６には、殺菌剤３が充填される第２の空間４６Ａが形成されており、当該第２の空間４６Ａは第１の空間４５Ａと互いに連通している。そして、第１及び第２の空間４５Ａ，４６Ａの各々において殺菌剤３が充填されている。
【００６３】
図６を参照して、バラスト水中へ溶け出すことにより第１の容器部分４５に充填された殺菌剤３が消費されると（図６中破線）、第２の容器部分４６に充填された殺菌剤３が自重により第１の容器部分４５側へ落下する。これにより、実施形態２に係るバラスト水処理装置では、殺菌剤３の補充をより容易に行うことができる。
【００６４】
また図５に示すように容器本体４３Ａから上側に延設された壁部４３Ｃによって、第２の容器部分４６においてバラスト水が外部に溢れ出ることが抑制されている。
【００６５】
また実施形態２では、図５に示すように殺菌剤３がメッシュ状部材４３Ｂに充填される場合を一例として説明したがこれに限られず、バラスト水が流入可能な小さな丸穴が空けられた収容部材がメッシュ状部材４３Ｂの代わりに用いられ、これに殺菌剤３が充填されてもよい。
【００６６】
（実施形態３）
次に、本発明のさらに他の実施形態である実施形態３に係るバラスト水処理装置について説明する。実施形態３に係るバラスト水処理装置は、基本的には上記実施形態１に係るバラスト水処理装置１と同様の構成を備え、かつ同様の効果を奏する。しかし、実施形態３に係るバラスト水処理装置は、薬品容器に充填される殺菌剤の量において、上記実施形態１とは異なっている。
【００６７】
図１及び図２を参照して、実施形態３では、バラストタンク６０に貯留されるバラスト水の量に応じた量の殺菌剤３が薬品容器４０のメッシュ状部材４０Ｂに充填される。より具体的には、バラストタンク６０に貯留されるバラスト水の量及びその塩素濃度が設定され、設定されたバラスト水量及び塩素濃度を確保するために必要な殺菌剤３の量が算出される。そして、算出された量以上の殺菌剤３が薬品容器４０のメッシュ状部材４０Ｂに充填される。これにより、実施形態３に係るバラスト水処理装置では、バラストタンク６０への漲水において殺菌剤３の補充を行う必要がなくなるという利点がある。
【００６８】
バラストタンク６０に貯留されるバラスト水の量に応じた殺菌剤３の量は、例えば以下のように算出される。バラストタンク６０に貯留されるバラスト水量を１０００トン、塩素濃度設定値を１０ｍｇ／Ｌ、塩素濃度を１０ｍｇ／Ｌにするために必要な殺菌剤３の濃度を１２ｍｇ／Ｌとすると、１２（ｍｇ／Ｌ）×１０００（トン）×１０００（Ｌ／トン）＝１２ｋｇ、のように殺菌剤３の量を算出することができる。
【００６９】
なお、実施形態３のようにバラスト水の量に応じた量の殺菌剤３を予め充填してもよいし、上記実施形態１のように殺菌剤３の残量が少なくなったときにメッシュ状部材４０Ｂを交換して対応してもよい。
【００７０】
今回開示された実施形態は全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００７１】
１  バラスト水処理装置、２  配管、３  殺菌剤、４  バイパス配管、４０，４３  薬品容器、４１  検知部、４２  濃度測定部、４５  第１の容器部分、４５Ａ  第１の空間、４６  第２の容器部分、４６Ａ  第２の空間、６０  バラストタンク、７０  流量調整手段、７１  流量調整部、７２  流量制御部
【図１】
2016168527.tif 000005
【図２】
2016168527.tif 000006
【図３】
2016168527.tif 000007
【図４】
2016168527.tif 000008
【図５】
2016168527.tif 000009
【図６】
2016168527.tif 000010